(57)【特許請求の範囲】
【請求項１】
広帯域の周波数帯の高周波信号が供給される入力端子と、
出力端子と、
基準電位点と、
前記入力端子と前記出力端子との間に直列に接続された第１及び第２の抵抗器と、第１及び第２の抵抗器の相互接続点と前記基準電位点との間に接続された第３の抵抗器とを、含むＴ型抵抗減衰器と、
第１及び第２の抵抗器に並列に接続され、前記広帯域の周波数帯における上側の周波数に直列共振周波数を有する直列共振回路と、
第３の抵抗器と直列に接続され、前記広帯域の周波数帯における下側周波数に並列共振周波数を有する並列共振回路と、
第１及び第２の抵抗器それぞれに並列に接続された２つの容量手段とを、
具備し、一方の容量手段の容量値が、他方の容量手段の容量値よりも小さく設定されているイコライザ。
【請求項２】
請求項１記載のイコライザにおいて、第１の抵抗器が前記入力端子側に接続され、第２の抵抗器が前記出力端子側に接続され、第１の抵抗器に並列に接続された前記容量手段の容量値が、第２の抵抗器に並列に接続された前記容量手段の容量値よりも小さく設定されているイコライザ。
【発明の詳細な説明】
【０００１】
【発明の属する技術分野】
本発明は、例えば共同聴視システムにおいて、同軸ケーブルを伝送されることによって周波数特性に変位が生じている高周波信号の周波数特性を改善するイコライザ（等化器）に関する。
【０００２】
【従来の技術】
上述したイコライザは、例えば共同聴視システムの線路中に介在する中継増幅器に使用されることが多い。ところで、共同聴視システムもデジタル化が目前に迫っている。デジタル化にあたり、中継増幅器も広帯域化する必要がある。例えば、従来、７０ＭＨｚから４５０ＭＨｚまでの高周波信号を増幅できるものであれば充分であったが、デジタル化にあたり、７０ＭＨｚから７７０ＭＨｚまで中継増幅器は、増幅できるものとする必要がある。しかも、中継増幅器の仕様は従来どおりで、広帯域化が望まれている。これに伴い、イコライザ回路も、従来のものでは、新たな規格を満足できなくなっており、広帯域化する必要が生じている。
【０００３】
図２は、従来使用されていたイコライザ回路を示したものである。従来のイコライザ回路は、Ｔ型抵抗減衰器２を含んでいる。このＴ型抵抗減衰器２は、入力端子４と出力端子６との間に直列に接続された第１及び第２の抵抗器、例えば抵抗器８、１０を有している。これら抵抗器８、１０の相互接続点と、基準電位点、例えば接地電位点との間に第３の抵抗器、例えば抵抗器１２が接続されている。これら抵抗器８、１０、１２は、例えば同じ値の抵抗値を有している。
【０００４】
抵抗器８、１０に並列に直列共振回路１４が接続されている。この直列共振回路１４は、例えばリアクタ１６とコンデンサ１８との直列回路から構成されている。この直列共振回路１４の共振周波数は、例えば４５０ＭＨｚ付近の周波数に設定されている。また、抵抗器１２に直列に、並列共振回路２０が接続されている。この並列共振回路２０は、例えばリアクタ２２とコンデンサ２４との並列回路から構成されている。この並列共振回路１４の共振周波数は、例えば７０ＭＨｚ付近に設定されている。
【０００５】
このイコライザでは、例えば４５０ＭＨｚ付近では、直列共振回路１４が直列共振するので、４５０ＭＨｚ付近の高周波信号は、ほとんど減衰されることなく、入力端子４から出力端子６に伝送される。一方、７０ＭＨｚ付近では、並列共振回路２０が並列共振するので、入力端子４からの高周波信号は、抵抗器８、１０をほとんど通過し、大きく減衰される。４５０ＭＨｚ付近から７０ＭＨ付近までの高周波信号は、その周波数に応じてほとんど通過する状態と、ほとんど減衰される状態との間で、減衰される周波数特性となる。この周波数特性の概略を図４に実線で示す。この周波数特性のカーブ特性は、リアクタ１６、２２、コンデンサ１８、２４の値によって決定される。図４に点線で示すのは、イコライザ回路の理想周波数特性である。
【０００６】
【発明が解決しようとする課題】
このようなイコライザにおいて、上述した広帯域化に対応するために、リアクタ１６、２２、コンデンサ１８、２４の値を変更した場合、カーブ特性が理想値から外れ、例えば図２に点線で示すような特性となり、低い周波数におけるカーブ特性の膨らみが少なく、また、高い周波数においてカーブ特性が膨らみすぎるという問題点があった。
【０００７】
本発明は、広帯域化を図っても、所望の特性が得られるイコライザを提供することを目的とする。
【０００８】
【課題を解決するための手段】
本発明によるイコライザは、入力端子と、出力端子と、基準電位点とを有している。入力端子には、広帯域の周波数帯の高周波信号が供給される。更に、このイコライザは、Ｔ型抵抗減衰器を有している。このＴ型抵抗減衰器は、前記入力端子と前記出力端子との間に直列に接続された第１及び第２の抵抗器を含んでいる。更に、第１及び第２の抵抗器の相互接続点と前記基準電位点との間に接続された第３の抵抗器も含んでいる。第１及び第２の抵抗器に並列に直列共振回路が接続されている。この直列共振回路は、前記広帯域の周波数帯における上側の周波数に直列共振周波数を有している。第３の抵抗器と直列に並列共振回路が接続されている。この並列共振回路は、前記広帯域の周波数帯における下側周波数に並列共振周波数を有している。第１及び第２の抵抗器それぞれに並列に容量が異なる２つの容量手段が接続されている。
【００１０】
容量手段としては、固定のコンデンサまたは可変コンデンサを使用することができる。容量が異なる２つの容量手段を使用することによって、直列共振回路に対して容量手段が並列に接続された状態となり、容量の小さい容量手段の影響が大きく、共振周波数は元の周波数よりも高く、またＱが大きくなる。よって、高い周波数での周波数特性のカーブが、基の周波数特性のカーブよりも先鋭となり、所望のカーブに近くなる。また、並列共振回路に対して容量手段が直列に接続された状態となり、容量の大きい容量手段の影響が大きくなり、共振周波数は元の周波数よりも低く、またＱは大きくなる。よって低い周波数での周波数特性のカーブが、基の周波数特性のカーブよりも先鋭になり、所望のカーブに近くなる。
【００１１】
さらに、入力端子側の第１の抵抗器に並列に接続された容量手段の容量値を、出力端子側の第２の抵抗器に並列に接続された容量手段の容量値よりも小さく設定することができる。高い周波数において、第１の抵抗器に接続された値の小さい容量手段が主に機能して、高い周波数での周波数特性に影響を与える。低い周波数において、第２の抵抗器に接続された値の大きい容量手段が主に機能して、低い周波数での周波数特性の影響を与える。
【００１２】
【発明の実施の形態】
本発明の図１の１実施形態のイコライザも、図３に示した従来のイコライザと同様に、Ｔ型抵抗減衰器２、直列共振回路１４及び並列共振回路２０を備えている。但し、直列共振回路１４は、広帯域、例えばデジタル化されたＣＡＴＶにおいて使用される帯域７０ＭＨｚ乃至７７０ＭＨｚのうち、上側の周波数、例えば７７０ＭＨｚ付近に共振周波数を有し、並列共振回路２０は、上記帯域のうち下側の周波数、例えば７０ＭＨｚ付近に共振周波数を有している。
【００１３】
更に、Ｔ型抵抗減衰器２の抵抗器８、１０に、リアクタンス手段、例えば容量手段、具体的には固定コンデンサ２６、２８が並列に接続されている。抵抗器８に並列に接続されている固定コンデンサ２６の値は、抵抗器１０に並列に接続されている固定コンデンサ２８の値よりも小さく設定されている。例えばコンデンサ２６の値は、２．５ｐＦに設定され、コンデンサ２８の値は、２０ｐＦに設定され、８倍の値に設定されている。コンデンサ２６の値は、直列共振回路１４のコンデンサ１８の値と略等しく、コンデンサ２８の値は、コンデンサ１８の値よりも大きく、１０倍である。また、コンデンサ２８の値は、並列共振回路２０のコンデンサ２４よりも大きく、約１３倍である。
【００１４】
ちなみに、例えば抵抗器８の値は４７Ω、抵抗器１０の値は５１Ω、抵抗器１２の値は５６Ωに設定されている。直列共振回路１４のコンデンサ１８の値は２ｐＦ、同リアクタの値は約２０ｐＨに設定されている。並列共振回路２０のコンデンサ２４の値は１．５ｐＦに設定され、リアクタ２２の値は約３ｎＨに設定されている。
【００１５】
このように構成されたイコライザでは、コンデンサ２６、２８が設けられているので、直列共振回路１４の共振周波数が変化する。直列共振回路１４に対してコンデンサ２６、２８が並列に接続された形態であるので、この直列共振回路１４の周波数に対して、値の小さいコンデンサ２６の影響が大きく、直列共振周波数を高い周波数側に移動させ、またＱの値を大きくする。これによって、図２に点線で示すような従来のイコライザの周波数特性のうち符号ａで示した部分が、同図に実線で示すようなこのイコライザの周波数特性のうち符号ｂで示した部分のように、膨らみが少なく先鋭になる。
【００１６】
また、コンデンサ２６、２８が設けられたことにより、並列共振回路２０の共振周波数も変化する。並列共振回路２０にコンデンサ２６、２８が直列に接続された形態であるので、この並列共振回路２０の周波数に対して、値の大きいコンデンサ２８の影響が大きく、並列共振周波数を低い方に移動させる。また、Ｑの値を大きくする。その結果、図２に点線で示すような従来のイコライザの周波数特性のうち符号ｃで示した部分が、同図に実線で示すようなこのイコライザの周波数特性のうち符号ｄで示した部分のように、膨らみが小さく、先鋭になる。
【００１７】
上記の実施の形態では、容量手段として、固定コンデンサ２６、２８を使用したが、可変コンデンサを使用することもできる。この場合、符号ｂ、ｄで示した部分の膨らみを、可変コンデンサの値を変更することによって変更することができる。
【００１８】
【発明の効果】
以上のように、本発明によれば、広帯域の高周波信号に対するイコライザであっても、所望の周波数特性を得ることができる。
【図面の簡単な説明】
【図１】  本発明の１実施形態のイコライザの回路図である。
【図２】  図１のイコライザ及び従来のイコライザを広帯域化したときの周波数特性図である。
【図３】  従来のイコライザの回路図である。
【図４】  図３のイコライザの周波数特性図である。
【符号の説明】
２  Ｔ型抵抗減衰器
８  １０  １２  抵抗器
１４  直列共振回路
２０  並列共振回路
２６  ２８  コンデンサ（容量手段）
【図１】
0004017878.tif 000002
【図２】
0004017878.tif 000003
【図３】
0004017878.tif 000004
【図４】
0004017878.tif 000005